(57)【特許請求の範囲】
【請求項１】
各種データを表示するメイン表示部とメイン表示部よりも表示画面の小さなサブ表示部とを搭載する折り畳み型の携帯電話機であって、
前記各種データを表示する外部表示部を含むリモートコントローラ付きイヤホンを接続自在とする外部接続手段と、本体の開閉状態を検知する検知手段と、ユーザに画面表示で知らせる必要のある受動的イベントの発生の有無を検出する検出手段と、前記検知手段の検知結果と前記検出手段の検出結果とに応じて前記メイン表示部と前記サブ表示部と前記外部表示部とを切り替えて前記各種データを表示制御する制御手段とを有し、
前記リモートコントローラは、重力方向を検知する姿勢センサを含み、
前記制御手段は、前記姿勢センサにて前記リモートコントローラの姿勢が重力に対して垂直方向へ変化したことが検出された時に前記外部表示部を点灯することを特徴とする携帯電話機。
【請求項２】
前記制御手段は、前記検知手段で前記本体の閉状態が検知されかつ前記検出手段で前記受動的イベントの発生が検出された時に前記外部表示部のみに前記各種データを表示することを特徴とする請求項１記載の携帯電話機。
【請求項３】
前記制御手段は、前記検知手段で前記本体の開状態が検知されかつ前記検出手段で前記受動的イベントの発生が検出された時に前記外部表示部を消灯して当該外部表示部への前記各種データの表示を抑止することを特徴とする請求項１または請求項２記載の携帯電話機。
【請求項４】
前記制御手段は、ユーザから入力を受け付けるメイン操作部にて前記入力を受け付けた時に前記外部表示部を消灯することを特徴とする請求項１から請求項３のいずれか記載の携帯電話機。
【請求項５】
前記制御手段は、前記本体が閉状態の時にユーザから入力を受け付けるサブ操作部にて前記入力を受け付けた時に前記外部表示部を消灯することを特徴とする請求項１から請求項４のいずれか記載の携帯電話機。
【請求項６】
前記制御手段は、前記リモートコントローラの操作部にてユーザから入力を受け付けた時に前記メイン表示部を消灯することを特徴とする請求項１から請求項５のいずれか記載の携帯電話機。
【請求項７】
前記制御手段は、前記リモートコントローラの操作部にてユーザから入力を受け付けた時に前記サブ表示部を消灯することを特徴とする請求項１から請求項６のいずれか記載の携帯電話機。
【請求項８】
前記制御手段は、前記リモートコントローラの所定キーが押下されて操作無効が指定されかつ前記検出手段で前記受動的イベントの発生が検出された時に前記外部表示部の点灯を抑止することを特徴とする請求項１から請求項７のいずれか記載の携帯電話機。
【請求項９】
前記受動的イベントは、電話及び電子メールの着信とアラーム及びタイマの通知とを少なくとも含むことを特徴とする請求項１から請求項８のいずれか記載の携帯電話機。
【請求項１０】
各種データを表示するメイン表示部とメイン表示部よりも表示画面の小さなサブ表示部とを搭載する折り畳み型の携帯電話機に用いるリモートコントローラ表示方法であって、
前記携帯電話機に前記各種データを表示する外部表示部を含むリモートコントローラ付きイヤホンを接続自在とする外部接続手段を設け、
前記携帯電話機が、本体の開閉状態を検知する検知処理と、ユーザに画面表示で知らせる必要のある受動的イベントの発生の有無を検出する検出処理と、前記検知処理の検知結果と前記検出処理の検出結果とに応じて前記メイン表示部と前記サブ表示部と前記外部表示部とを切り替えて前記各種データを表示制御する制御処理とを実行し、
前記リモートコントローラに重力方向を検知する姿勢センサを設け、
前記制御処理において、前記姿勢センサにて前記リモートコントローラの姿勢が重力に対して垂直方向へ変化したことが検出された時に前記外部表示部を点灯することを特徴とするリモートコントローラ表示方法。
【請求項１１】
前記制御処理において、前記検知処理で前記本体の閉状態が検知されかつ前記検出処理で前記受動的イベントの発生が検出された時に前記外部表示部のみに前記各種データを表示することを特徴とする請求項１０記載のリモートコントローラ表示方法。
【請求項１２】
前記制御処理において、前記検知処理で前記本体の開状態が検知されかつ前記検出処理で前記受動的イベントの発生が検出された時に前記外部表示部を消灯して当該外部表示部への前記各種データの表示を抑止することを特徴とする請求項１０または請求項１１記載のリモートコントローラ表示方法。
【請求項１３】
前記制御処理において、ユーザから入力を受け付けるメイン操作部にて前記入力を受け付けた時に前記外部表示部を消灯することを特徴とする請求項１０から請求項１２のいずれか記載のリモートコントローラ表示方法。
【請求項１４】
前記制御処理において、前記本体が閉状態の時にユーザから入力を受け付けるサブ操作部にて前記入力を受け付けた時に前記外部表示部を消灯することを特徴とする請求項１０から請求項１３のいずれか記載のリモートコントローラ表示方法。
【請求項１５】
前記制御処理において、前記リモートコントローラの操作部にてユーザから入力を受け付けた時に前記メイン表示部を消灯することを特徴とする請求項１０から請求項１４のいずれか記載のリモートコントローラ表示方法。
【請求項１６】
前記制御処理において、前記リモートコントローラの操作部にてユーザから入力を受け付けた時に前記サブ表示部を消灯することを特徴とする請求項１０から請求項１５のいずれか記載のリモートコントローラ表示方法。
【請求項１７】
前記制御処理において、前記リモートコントローラの所定キーが押下されて操作無効が指定されかつ前記検出処理で前記受動的イベントの発生が検出された時に前記外部表示部の点灯を抑止することを特徴とする請求項１０から請求項１６のいずれか記載のリモートコントローラ表示方法。
【請求項１８】
前記受動的イベントが、電話及び電子メールの着信とアラーム及びタイマの通知とを少なくとも含むことを特徴とする請求項１０から請求項１７のいずれか記載のリモートコントローラ表示方法。
【請求項１９】
各種データを表示するメイン表示部とメイン表示部よりも表示画面の小さなサブ表示部とを搭載する折り畳み型の携帯電話機内のコンピュータに実行させるプログラムであって、
前記携帯電話機に前記各種データを表示する外部表示部を含むリモートコントローラ付きイヤホンを接続自在とする外部接続手段を設け、
前記携帯電話機の本体の開閉状態を検知する検知処理と、ユーザに画面表示で知らせる必要のある受動的イベントの発生の有無を検出する検出処理と、前記検知処理の検知結果と前記検出処理の検出結果とに応じて前記メイン表示部と前記サブ表示部と前記外部表示部とを切り替えて前記各種データを表示制御する制御処理とを含み、
前記リモートコントローラに重力方向を検知する姿勢センサを設け、
前記制御処理において、前記姿勢センサにて前記リモートコントローラの姿勢が重力に対して垂直方向へ変化したことが検出された時に前記外部表示部を点灯させることを特徴とするプログラム。
【発明の詳細な説明】
【技術分野】
【０００１】
本発明は携帯電話機及びそれに用いるリモートコントローラ表示方法並びにそのプログラムに関し、特にオーディオプレーヤー機能を搭載する携帯電話機に関する。
【背景技術】
【０００２】
近年、ＩＣ（集積回路）メモリや小型のハードディスクを搭載した携帯オーディオプレーヤーが普及し始め、それに伴って携帯電話機にオーディオプレーヤー機能が搭載されるようになってきている。
【０００３】
主なオーディオプレーヤーでは、装置本体にイヤホンを接続するが、装置の操作性を高めるためにリモートコントローラ（以下、リモコンとする）付きイヤホンを搭載するケースが存在する（例えば、特許文献１参照）。
また、従来の携帯電話機では、各種データを表示するために、一体型の場合、表示画面の大きなメイン表示部のみが設けられ、折り畳み型の場合、メイン表示部以外に、表示画面の小さなサブ表示部が設けられている。
【０００４】
【特許文献１】特開２００２−２７１４７２号公報
【発明の開示】
【発明が解決しようとする課題】
【０００５】
しかしがら、上述した従来の携帯電話機では、衣服等に携帯電話機本体を収納している状態において、携帯電話機の情報を簡易に確認することが困難となっている。
【０００６】
そこで、本発明の目的は上記の問題点を解消し、消費電力を抑制しつつ、本体を衣服等に収容したまま情報確認を行うことができる携帯電話機及びそれに用いるリモートコントローラ表示方法並びにそのプログラムを提供することにある。
【課題を解決するための手段】
【０００７】
本発明による携帯電話機は、各種データを表示するメイン表示部とメイン表示部よりも表示画面の小さなサブ表示部とを搭載する折り畳み型の携帯電話機であって、
前記各種データを表示する外部表示部を含むリモートコントローラ付きイヤホンを接続自在とする外部接続手段と、本体の開閉状態を検知する検知手段と、ユーザに画面表示で知らせる必要のある受動的イベントの発生の有無を検出する検出手段と、前記検知手段の検知結果と前記検出手段の検出結果とに応じて前記メイン表示部と前記サブ表示部と前記外部表示部とを切り替えて前記各種データを表示制御する制御手段とを備え、
前記リモートコントローラは、重力方向を検知する姿勢センサを含み、
前記制御手段は、前記姿勢センサにて前記リモートコントローラの姿勢が重力に対して垂直方向へ変化したことが検出された時に前記外部表示部を点灯している。
【０００８】
本発明によるリモートコントローラ表示方法は、各種データを表示するメイン表示部とメイン表示部よりも表示画面の小さなサブ表示部とを搭載する折り畳み型の携帯電話機に用いるリモートコントローラ表示方法であって、
前記携帯電話機に前記各種データを表示する外部表示部を含むリモートコントローラ付きイヤホンを接続自在とする外部接続手段を設け、
前記携帯電話機が、本体の開閉状態を検知する検知処理と、ユーザに画面表示で知らせる必要のある受動的イベントの発生の有無を検出する検出処理と、前記検知処理の検知結果と前記検出処理の検出結果とに応じて前記メイン表示部と前記サブ表示部と前記外部表示部とを切り替えて前記各種データを表示制御する制御処理とを実行し、
前記リモートコントローラに重力方向を検知する姿勢センサを設け、
前記制御処理において、前記姿勢センサにて前記リモートコントローラの姿勢が重力に対して垂直方向へ変化したことが検出された時に前記外部表示部を点灯している。
【０００９】
本発明によるプログラムは、各種データを表示するメイン表示部とメイン表示部よりも表示画面の小さなサブ表示部とを搭載する折り畳み型の携帯電話機内のコンピュータに実行させるプログラムであって、
前記携帯電話機に前記各種データを表示する外部表示部を含むリモートコントローラ付きイヤホンを接続自在とする外部接続手段を設け、
前記携帯電話機の本体の開閉状態を検知する検知処理と、ユーザに画面表示で知らせる必要のある受動的イベントの発生の有無を検出する検出処理と、前記検知処理の検知結果と前記検出処理の検出結果とに応じて前記メイン表示部と前記サブ表示部と前記外部表示部とを切り替えて前記各種データを表示制御する制御処理とを含み、
前記リモートコントローラに重力方向を検知する姿勢センサを設け、
前記制御処理において、前記姿勢センサにて前記リモートコントローラの姿勢が重力に対して垂直方向へ変化したことが検出された時に前記外部表示部を点灯させることを特徴とする。
【００１０】
すなわち、本発明の携帯電話機は、各種データを表示するメイン表示部とメイン表示部よりも表示画面の小さなサブ表示部とを搭載する折り畳み型端末において、装置の操作性を高めるためにリモートコントローラ（以下、リモコンとする）付きイヤホンとを搭載し、そのリモコンに表示部を設け、この表示部に端末アプリケーション情報を表示する手段と、携帯電話機本体の状態及び操作に応じてメイン表示部と表示部とを切り替えて消費電力を抑制する手段とを有することを特徴とする。
【００１１】
本発明の携帯電話機では、リモコンに設けた表示部に、電話や電子メール等の着信、アラームやタイマ等の通知、動作中のアプリケーション情報等の表示を可能とするとともに、外部表示部の有無、キーイベントの検知箇所、端末筐体の開閉の条件を基に、点灯させる表示部を切り替えることによって、端末本体を衣服等に収納していても端末本体の情報確認を可能とし、ユーザの使用上において最適な箇所の表示部を点灯しながら他の表示部を消灯し、リモコンに表示部を追加しても消費電力の抑制が可能となる。
【発明の効果】
【００１２】
本発明は、上記のような構成及び動作とすることで、消費電力を抑制しつつ、本体を衣服等に収容したまま情報確認を行うことができるという効果が得られる。
【発明を実施するための最良の形態】
【００１３】
次に、本発明の実施例について図面を参照して説明する。図１は本発明の一実施例による携帯電話機の構成を示すブロック図である。図１において、携帯電話機１は開閉式の折り畳み型端末であり、制御部１１と、メモリ１２と、無線部１３と、メイン操作部１４と、メイン表示部１５と、開閉検知部１６と、外部接続部１７と、サブ操作部１８と、サブ表示部１９とから構成され、外部接続部１７にリモートコントローラ（以下、リモコンとする）２等の外部接続機器が接続可能となっている。
【００１４】
制御部１１は各部の動作を制御し、メモリ１２は各種情報を保持するとともに、制御部１１で実行するプログラムを格納し、無線部１３は通信網１００への無線接続を行う。メイン操作部１４はユーザから携帯電話機１へのインプットを主に受け付け、メイン表示部１５はユーザに伝達する情報を主に表示する。
【００１５】
開閉検知部１６は携帯電話機１における開閉状態を検知し、外部接続部１７はリモコン２等の外部接続機器を接続する。サブ操作部１８は携帯電話機１が閉状態においても操作可能となっており、サブ表示部１９は携帯電話機１が閉状態においても表示可能なっている。尚、外部接続部１７と外部接続機器との接続は有線接続でも、無線接続でもよい。
【００１６】
リモコン２は携帯電話機１と接続するコネクタ２１と、リモコン２における操作を受け付ける外部操作部２２と、リモコン２において端末情報を表示可能な外部表示部２３と、音声等の音出力を行うイヤホン２４とから構成されている。
【００１７】
図２は本発明の一実施例による携帯電話機１の外観を示す図であり、図３は本発明の一実施例によるリモコン２の外観を示す図である。図２（ａ）は携帯電話機１を正面から見た状態を示し、図２（ｂ）は携帯電話機１を側面から見た状態を示し、図２（ｃ）は携帯電話機１を背面から見た状態を示し、図２（ｄ）は携帯電話機１を閉じた状態を示している。
【００１８】
図４及び図５は本発明の一実施例による携帯電話機１の表示部制御動作を示すフローチャートである。図４においては、ユーザの能動的操作ではなく、携帯電話機１における電話や電子メール等の着信、アラームやタイマ等の通知等の受動的イベントの発生に応じた表示部の切り替え制御を示しており、図５においてはユーザのキー入力等の能動的イベントの発生に応じた表示部の切り替え制御を示している。
【００１９】
これら図１〜図５を参照して本発明の一実施例による携帯電話機１の表示部の切り替え制御について説明する。尚、図４及び図５に示す動作は制御部１１がメモリ１２に格納されたプログラムを実行することで実現される。
【００２０】
携帯電話機１はイベント待ちの状態において、電話や電子メール等の着信、アラームやタイマ等の通知等のユーザに画面表示で知らせる必要のある受動的イベントが発生した場合（図４ステップＳ１）、開閉検知部１６が携帯電話機１本体の開閉状態を検知する（図４ステップＳ２）。携帯電話機１は本体が開状態の場合、メイン表示部１５のみを点灯させ、発生したイベント情報をメイン表示部１５に表示する（図４ステップＳ３）。
【００２１】
また、携帯電話機１は本体が閉状態の場合、外部接続部１７に外部表示部２３を持つリモコン２のコネクタ２１が接続されているかどうかを検知する（図４ステップＳ４）。携帯電話機１は外部接続部１７にリモコン２のコネクタ２１が接続されている場合、リモコン２の外部表示部２３のみを点灯し、発生したイベント情報を外部表示部２３に表示する（図４ステップＳ５）。
【００２２】
携帯電話機１は外部接続部１７にリモコン２のコネクタ２１が接続されていない場合、サブ表示部１９のみを点灯させ、発生イベント情報をサブ表示部１９に表示する（図４ステップＳ６）。
【００２３】
本実施例では、発生したイベント情報をそれぞれメイン表示部１５、リモコン２の外部表示部２３、サブ表示部１９に表示した後に、受動的なイベント情報の最適な表示部への表示を完了する。
【００２４】
一方、携帯電話機１はイベント待ちの状態において、ユーザによるキーイベントの発生があり（図５ステップＳ１１）、そのキーイベントがメイン操作部１４にて検知された場合（図５ステップＳ１２）、メイン表示部１５を点灯し、イベント発生時の動作中アプリケーションの情報をメイン表示部１５に表示する（図５ステップＳ１３）。この時、携帯電話機１はサブ表示部１９または外部表示部２３が点灯していれば、それらサブ表示部１９または外部表示部２３を消灯する（図５ステップＳ１４）。
【００２５】
携帯電話機１は発生したキーイベントが外部操作部２２にて検知された場合（図５ステップＳ１２，Ｓ１５）、外部表示部２３を点灯し、イベント発生時の動作中アプリケーションの情報を外部表示部２３に表示する（図５ステップＳ１６）。この時、携帯電話機１はサブ表示部１９が点灯していれば、そのサブ表示部１９を消灯する（図５ステップＳ１７）。
【００２６】
携帯電話機１は発生したキーイベントがサブ操作部１８にて検知された場合（図５ステップＳ１２，Ｓ１５）、サブ表示部１９を点灯し、イベント発生時の動作中アプリケーションの情報をサブ表示部１９に表示する（図５ステップＳ１８）。この時、携帯電話機１は外部表示部２３が点灯していれば、その外部表示部２３を消灯する（図５ステップＳ１９）。
【００２７】
一方、携帯電話機１はキーイベントではなく、本体の開動作（閉→開）があった場合（図５ステップＳ２０）、上述したメイン操作部１４のキーイベント発生時と同様に、ステップＳ３，Ｓ４の動作を行う。本実施例では、上述した制御フローによって、能動的なイベント発生による情報の最適な表示部への表示を完了する。尚、図示していないが、上記の制御フローで点灯した表示部はタイマ制御によって一定時間経過後に消灯する。
【００２８】
このように、本実施例では、リモコン２に外部表示部２３を設け、この外部表示部２３に携帯電話機１の電話や電子メール等の着信、アラームやタイマ等の通知、動作中のアプリケーション情報を表示するとともに、開閉検知部１６による本体の開閉状態、メイン操作部１４とサブ操作部１８と外部操作部２２とにおける操作状態に応じてメイン表示部１５とサブ表示部１９と外部表示部２３とを切り替えて消費電力を抑制することによって、携帯電話機１が衣類等に収納されていても、携帯電話機１における情報確認を行うことができ、ユーザの使用上最適な箇所の表示部を点灯しながら他の表示部が消灯されるので、リモコン２に外部表示部２３を追加しても消費電力を抑制することができる。
【００２９】
尚、本実施例では、リモコン２の外部表示部２３と携帯電話機１本体のサブ表示部１９をそれぞれ独立した表示部としているが、表示画面データを同様とし、出力先を外部表示部２３、サブ表示部１９で切り替える構成としてもよい。
【００３０】
また、本実施例では、リモコン２の外部操作部２２の入力があった場合、サブ表示部１９を消灯とし、メイン表示部１５の制御には関与していないが、省電力効果を上げるために、そのとき同時に、メイン表示部１５を消灯としてもよい。
【００３１】
さらに、本実施例では、携帯電話機１のサブ表示部１９がある場合の実施例となっているが、サブ表示部１９がない構成としてもよい。その場合においては、サブ表示部１９を常に消灯とするのと同じ制御フローとなる。
【００３２】
さらにまた、本実施例では、リモコン２がコネクタ２１を介して有線で携帯電話機１の外部接続部１７と接続しているが、リモコン２と携帯電話機１との間をＢｌｕｅｔｏｏｔｈ（登録商標）等の無線による接続としてもよい。
【００３３】
一方、本実施例では、リモコン２に外部操作部２２の入力を無効とするホールド（ＨＯＬＤ）キーを設けてもよい。この場合、ホールドキーがＯＮ（操作無効）であれば、キー入力による能動的イベントによる外部表示部２３の点灯表示を行わないが、あわせて着信等の受動的イベントによる外部表示部２３の点灯表示も無効とする。ホールドキーをＯＦＦ（ホールド解除）に変更した場合には、キー入力検知ありと同等として、外部表示部２３の点灯表示を行う。
【００３４】
また、本実施例では、図６に示すように、リモコン２に重力方向を検知するジャイロ等の姿勢センサを搭載してもよい。この場合、本実施例では、通常使用でのリモコン２の姿勢を重力方向に平行とし［図６（ａ）の状態１］、リモコン２の姿勢が重力方向に対して垂直に変化させ［図６（ａ）の状態１→図６（ｂ）の状態２］、それを姿勢センサにて検知すると、リモコン２の外部操作部２２の入力ありと同等とし、外部表示部２３の点灯表示制御を行う。
【図面の簡単な説明】
【００３５】
【図１】本発明の一実施例による携帯電話機の構成を示すブロック図である。
【図２】本発明の一実施例による携帯電話機の外観を示す図である。
【図３】本発明の一実施例によるリモートコントローラの外観を示す図である。
【図４】本発明の一実施例による携帯電話機の表示部制御動作を示すフローチャートである。
【図５】本発明の一実施例による携帯電話機の表示部制御動作を示すフローチャートである。
【図６】本発明の一実施例によるリモートコントローラの姿勢制御を示す図である。
【符号の説明】
【００３６】
１  携帯電話機
２  リモートコントローラ
１１  制御部
１２  メモリ
１３  無線部
１４  メイン操作部
１５  メイン表示部
１６  開閉検知部
１７  外部接続部
１８  サブ操作部
１９  サブ表示部
２１  コネクタ
２２  外部操作部
２３  外部表示部
２４  イヤホン
１００  通信網
【図１】
0004548315.tif 000002
【図２】
0004548315.tif 000003
【図３】
0004548315.tif 000004
【図４】
0004548315.tif 000005
【図５】
0004548315.tif 000006
【図６】
0004548315.tif 000007